(57)【要約】    【構成】  配管洗浄システム１０は、洗浄ノズル１２を含み、洗浄ノズル１２から噴射する洗浄水によって排水配管１８の内部を洗浄する。洗浄ノズル１０は、たとえば、排水横引き管２６，２８の上流側端部および中継部に予め配管される。洗浄ノズル１２には、供給管１４が接続され、供給管１４の端部は居住区域外まで延びて配管される。供給管１４の端部には、高圧洗浄車３８などが備える給水管４０と結合される供給部１６が設けられる。洗浄作業を行うときには、給水管４０と供給部１６とを接続し、給水管４０から供給管１４に対して洗浄水を供給する。供給された洗浄水は、供給管１４を通って洗浄ノズル１２まで導かれ、洗浄ノズル１２から排水方向に向かって噴射される。    【効果】  排水配管に洗浄ノズルおよび供給管が予め設けられるので、簡易な作業によって、信頼性の高い洗浄作業を行うことができる。また、供給部を居住区域外に設けることによって、居住区域外からの洗浄作業が可能となる。【選択図】図１
2008025246.tif 000002
【特許請求の範囲】
【請求項１】
居住区域内に敷設された排水配管の内部を洗浄する配管洗浄システムであって、
前記排水配管に設けられて、排水方向に向けて洗浄水を噴射する洗浄ノズル、
前記洗浄ノズルと接続されて、居住区域外まで延びて配管される供給管、および
前記居住区域外において前記供給管に設けられて、前記洗浄水が供給される供給部を備える、配管洗浄システム。
【請求項２】
前記排水配管は排水横引き管を含み、前記洗浄ノズルを前記排水横引き管の上流側端部に設ける、請求項１記載の配管洗浄システム。
【請求項３】
前記排水配管は前記排水横引き管に設けられる中継部を含み、前記洗浄ノズルを前記中継部に設ける、請求項１または２記載の配管洗浄システム。
【発明の詳細な説明】
【技術分野】
【０００１】
この発明は配管洗浄システムに関し、特にたとえば、居住区域内に敷設された排水配管の内部を洗浄する、配管洗浄システムに関する。
【背景技術】
【０００２】
背景技術の一例が特許文献１に開示される。特許文献１の技術では、洗浄ノズル付ホースを通すことができるガイド配管の一端を生活器具と排水横枝管との間に接続し、他端を居住区域内或いは居住区域外に固定する。この他端側から洗浄ノズル付ホースを挿入して、洗浄ノズルを排水横枝管まで導き、洗浄水を洗浄ノズルから噴射することによって排水横枝管内を洗浄する。
【特許文献１】特開２００５−２９９５２号公報［Ｅ０３Ｃ  １／３０６］
【発明の開示】
【発明が解決しようとする課題】
【０００３】
特許文献１の技術では、洗浄作業時に洗浄ノズル付ホースの繰り出しおよび巻き取りを行う必要があるため、たとえば居住区域外から洗浄作業を行う場合のように洗浄ノズル付ホースの挿入口から洗浄したい排水横枝管までの距離が長い場合、または洗浄したい排水横枝管の管長が長い場合などには、洗浄作業に手間および時間がかかる。
【０００４】
また、洗浄作業者は、挿入した洗浄ノズル付ホースの先端部が排水配管内のどの位置まで到達したか分かり難い。このため、洗浄ノズル付ホースの挿入が足りずに排水横枝管内の洗浄が不十分になったり、洗浄ノズル付ホースを挿入しすぎてその先端部が排水立て管等にぶつかって思わぬ方向に曲がり、排水配管内に逆流を生じさせたりする。
【０００５】
それゆえに、この発明の主たる目的は、信頼性が高く、かつ簡易な作業によって排水配管内の洗浄作業を行うことができる、配管洗浄システムを提供することである。
【課題を解決するための手段】
【０００６】
請求項１の発明は、居住区域内に敷設された排水配管の内部を洗浄する配管洗浄システムであって、排水配管に設けられて排水方向に向けて洗浄水を噴射する洗浄ノズル、洗浄ノズルと接続されて居住区域外まで延びて配管される供給管、および居住区域外において供給管に設けられて洗浄水が供給される供給部を備える、配管洗浄システムである。
【０００７】
請求項１の発明では、洗浄ノズル（１２：実施例で相当する参照番号。以下同じ。）から洗浄水を噴射することによって、排水配管（１８）の内部を洗浄する。洗浄ノズルは、たとえばノズル継手（３４，３６）によって排水配管に接続され、洗浄ノズルには、供給管（１４）が接続される。供給管は、洗浄ノズルから居住区域外、たとえばマンションの共用部まで延びて配管される。供給管には、居住区域外において供給部（１６）が設けられる。供給部には、たとえば、高圧洗浄車（３８）などの給水源から洗浄水が供給される。洗浄作業を行うときには、たとえば、供給部と高圧洗浄車などが備える給水管（４０）とを結合して、給水管から供給管に対して洗浄水を供給する。この洗浄水は、供給管を通って洗浄ノズルまで導かれ、洗浄ノズルから排水方向に向けて噴射される。これによって、排水配管の内部が洗浄される。
【０００８】
請求項１の発明によれば、洗浄ノズルおよび供給管を予め配管しておくので、供給管に対して洗浄水を供給するだけで排水配管内の洗浄作業を行うことができる。したがって、洗浄作業を行うときには、洗浄ノズル付ホースを排水配管内に挿入する必要が無く、簡易な作業によって、信頼性の高い洗浄作業を行うことができる。
【０００９】
また、供給管を居住区域外まで配管し、供給部を居住区域外に設けることによって、居住区域外からの洗浄作業が可能となる。
【００１０】
請求項２の発明は、請求項１の発明に従属し、排水配管は排水横引き管を含み、洗浄ノズルを排水横引き管の上流側端部に設ける。
【００１１】
請求項２の発明では、洗浄ノズル（１２）を排水横引き管、たとえば排水横枝管（２６）および排水横主管（２８）の上流側端部に設ける。これによって、排水の流れが悪くなる排水横引き管の内部を効率よく洗浄できる。
【００１２】
請求項３の発明は、請求項１または２の発明に従属し、排水配管は排水横引き管に設けられる中継部を含み、洗浄ノズルを中継部に設ける。
【００１３】
請求項３の発明では、洗浄ノズル（１２）を排水横引き管（２６，２８）に設けられる中継部に設ける。ここで中継部とは、排水配管（１８）を中継するエルボやソケットなどの継手を用いる箇所をいい、中継部には、排水横引き管の曲がり部、排水横引き管の比較的長い直線部の一部、および排水横引き管が排水立て管や他の排水横引き管などと合流する合流部などを含む。これによって、排水配管内の汚れ易く、ゴミが堆積し易い箇所をより確実に洗浄することができる。
【発明の効果】
【００１４】
この発明によれば、洗浄ノズルおよび供給管が予め配管され、洗浄作業時に洗浄ノズル付ホースを排水配管の内部に挿入する必要が無いので、簡易な作業によって、信頼性の高い排水配管内の洗浄作業を行うことができる。
【００１５】
この発明の上述の目的，その他の目的，特徴および利点は、図面を参照して行う以下の実施例の詳細な説明から一層明らかとなろう。
【発明を実施するための最良の形態】
【００１６】
図１を参照して、この発明の一実施例である配管洗浄システム１０は、排水配管１８に接続した洗浄ノズル１２から洗浄液を噴射することによって、居住区域内、たとえばマンション或いは戸建住宅などの床下や天井裏などに敷設された排水配管１８の内部を洗浄する。排水配管１８は、排水横引き管２６，２８、すなわち排水横枝管２６および排水横主管２８を含み、台所流し台２０やトイレなどの排水設備から排出された排水を居住区域外に設けられる下水管などまで導く。
【００１７】
図１および図２に示すように、たとえば、マンションに設置された台所流し台２０には、排水トラップ２２が設けられており、その排水トラップ２２の下流端には、合流継手２４ａを介して排水横枝管２６が接続される。この排水横枝管２６の下流端には、合流継手２４ｂを介して排水横主管２８が接続され、排水横主管２８の下流端には、合流継手２４ｃを介して排水立て管３０が接続される。したがって、台所流し台２０からの排水は、排水トラップ２２を介して排水横枝管２６に流入し、さらに排水横主管２８を経て排水立て管３０まで導かれ、居住区域外の下水管などに排出される。
【００１８】
洗浄ノズル１２は、前方噴射式のノズルであって、耐食性を有する材質、たとえば合成樹脂やステンレスによって形成される。たとえば、図３に示すように、洗浄ノズル１２の一方端には噴射口３２が形成され、他方端には供給管１４と接続される供給管接続部１２ａが形成され、胴体部外面側にはノズル継手３４，３６と接続される継手接続部１２ｂが形成される。なお、洗浄ノズル１２の形状および形式は、特に限定されず、排水配管１８の管径や管長、或いは噴射する洗浄水の圧力などの適用条件によって適宜選択可能であり、洗浄ノズル１２には、コーンパターンノズル、ストレートパターンノズルおよびフラットパターンノズル等を用いることができる。また、１つの洗浄ノズル１２が複数の噴射口３２を有していてもよい。ただし、洗浄ノズル１２が排水配管１８内を流れる排水に浸かってしまう場合も考えられるので、排水による詰まりが生じ難い洗浄ノズル１２を選択することが望ましい。
【００１９】
洗浄ノズル１２は、ノズル継手、たとえばキャップ型ノズル継手３４やソケット型ノズル継手３６などによって、排水配管１８において排水の流れが悪くなる箇所、ゴミが堆積し易い箇所、および汚れ易い箇所などに対して洗浄水を噴射できるように排水配管１８に接続される。たとえば、洗浄ノズル１２は、排水横引き管２６，２８の上流側端部や中継部に接続される。ここで、中継部とは、排水配管１８を中継する、或いは接続するエルボやソケットなどの継手を用いる箇所をいい、中継部には、排水横引き管２６，２８の曲がり部、排水横引き管２６，２８の比較的長い直線部の一部、および排水横引き管２６，２８が排水立て管３０や他の排水横引き管２６，２８などと合流する合流部などを含む。
【００２０】
具体的には、図１−５に示すように、洗浄ノズル１２は、排水トラップ２２と排水横枝管２６とを接続する合流継手２４ａの上流側端部、および排水横枝管２６と排水横主管２８とを接続する合流継手２４ｂの上流側端部に、その噴射口３２を排水の下流方向に向けて接続される。これらの接続位置は、上述の排水横引き管２６，２８の上流側端部に相当し、かつ中継部にも相当する。また、洗浄ノズル１２は、排水横枝管２６の直線部の中央部に、その噴射口３２を排水の下流方向に向けて接続される。この接続位置は、上述の排水横引き管２６，２８の中継部に相当する。
【００２１】
キャップ型ノズル継手３４は、排水横引き管２６，２８の上流側端部に洗浄ノズル１２を接続する継手であって、合成樹脂或いはステンレスなどによって形成される。キャップ型ノズル継手３４は、たとえば、短円筒形状の胴体部３４ａおよびその一方端に設けられる円板形状の円板部３４ｂを有する、断面が「コ」字形のキャップ形状に形成される。胴体部３４ａの他端は開口しており、そこから排水横引き管２６，２８の上流側端部を挿入し、接着接合等することによって、キャップ型ノズル継手３４は排水配管１８の上流側端部に接続される。また、円板部３４ｂにはノズル接続部３４ｃが設けられる。このノズル接続部３４ｃと洗浄ノズル１２の継手接続部１２ｂとを接着接合等することによって、キャップ型ノズル継手３４に洗浄ノズル１２が接続される。ただし、キャップ型ノズル継手３４と洗浄ノズル１２とは、上述のように、別々に成形して接着接合等することもできるが、一体的に成形することもできる。なお、ノズル接続部３４ｃは、洗浄ノズル１２が排水配管１８内を流れる排水に浸かり難くなるように、なるべく高い位置に設けることが望ましい。
【００２２】
ソケット型ノズル継手３６は、たとえば、排水配管１８の比較的長い直線部や合流部の上流側に洗浄ノズル１２を接続する継手であって、合成樹脂或いはステンレスなどによって形成される。ソケット型ノズル継手３６は、円筒状の本体３６ａおよびその両端に設けられる配管接続部３６ｂを有するソケット形状に形成される。配管接続部３６ｂは、たとえば受口構造をしており、この受口に排水配管１８の端部をそれぞれ挿入し、接着接合等することによって、ソケット型ノズル継手３６は排水配管１８に接続される。また、本体３６ａの側面部にはノズル接続部３６ｃが設けられる。このノズル接続部３６ｃと洗浄ノズル１２の継手接続部１２ｂとを接着接合等することによって、ソケット型ノズル継手３６に洗浄ノズル１２が接続される。ただし、ソケット型ノズル継手３６と洗浄ノズル１２とは、キャップ型ノズル継手３４と同様に、一体的に成形することもできる。なお、洗浄ノズル１２が排水配管１８内を流れる排水に浸かり難くなるように、ノズル接続部３６ｃは本体側面部の最上部である管頂に設けることが望ましく、また、洗浄ノズル１２とソケット型ノズル継手３６とを接続したときに、洗浄ノズル１２の端部、すなわち噴射口３２がソケット型ノズル継手３６の内周面から突出しないことが望ましい。
【００２３】
供給管１４は、たとえば、架橋ポリエチレンなどの合成樹脂或いはステンレスによって形成される高圧ホースであって、高圧の流体を流しても破損されない強度を有する。供給管１４の管径は、たとえば１０−２０ｍｍである。ただし、供給管１４の種類や管径などは、これに限定されず、排水配管１８の管径や内部を流れる洗浄水の圧力などの適用条件によって適宜選択可能である。供給管１４の一方端には、洗浄ノズル１２の供給管接続部１２ａが接続され、供給管１４は、洗浄ノズル１２から居住区域外まで延びて配管される。供給管１４の他端には、洗浄作業時に高圧洗浄車３８などの給水源から洗浄水が供給される供給部１６が設けられる。
【００２４】
供給部１６は、洗浄水が流入する供給口であると共に、高圧洗浄車３８などが備える給水管４０と結合される結合部でもあり、居住区域外、たとえばマンションの共用部に配置される。具体例としては、図２に示すように、マンションの各部屋の玄関付近に設置されるメーターボックス（ＭＢ）内に設けられる。供給部１６には、図６に示すように、カプラ（登録商標）４４などを用いることができる。たとえば、供給管１４の端部にカプラ４４のソケット側を接続しておき、給水管４０の端部にカプラ４４のプラグ側を接続しておく。つまり、供給管１４の端部に接続されるカプラ４４のソケット側が供給部１６であり、給水管４０の端部に接続されるカプラ４４のプラグ側が洗浄水を吐出する吐出口４２である。カプラ４４を用いることによって、排水配管１８内の洗浄作業時における給水管４０と供給管１４との接続が簡単に行える。
【００２５】
上述のような配管洗浄システム１０によって排水配管１８の内部を洗浄する場合には、図１に示すように、たとえば、洗浄水を貯留したタンクおよび高圧ポンプ（図示せず）を備えた高圧洗浄車３８を用意する。高圧洗浄車３８には、タンクに貯留した洗浄水を供給する給水管４０が設けられている。給水管４０の端部には、上述したように、カプラ４４のプラグ側が接続され、給水管４０の端部は、供給部１６に結合される部位であると共に洗浄水を吐出する吐出口４２となる。
【００２６】
洗浄作業を行う時には、洗浄作業者は、供給部１６に吐出口４２を接続し、高圧洗浄車３８が備える高圧ポンプを作動させる。すると、タンクに貯留された洗浄水が高圧で供給管１４に供給される。この洗浄水は、供給管１４を通って洗浄ノズル１２まで導かれ、洗浄ノズル１２の噴射口３２から高圧噴射される。この高圧噴射された洗浄水によって、排水配管１８の内部のゴミや付着した汚れなどが洗い流される。この高圧噴射による洗浄作業は、たとえば１年に１−２回行うとよい。なお、高圧洗浄車３８などによって供給する洗浄水の圧力および洗浄時間などは、排水配管１８の配管構造などに応じて、適宜設定される。
【００２７】
また、吐出口４２の先端にバルブを設け、高圧ポンプを作動させた状態で、当該バルブを開閉することによって洗浄作業を行うこともできる。
【００２８】
なお、１つの洗浄ノズル１２によって洗浄される範囲は、たとえば、排水横引き管２６，２８の管軸方向に対して、３−５ｍであり、排水横引き管２６，２８の内周方向に対して、管底を中心とした２４０°である。洗浄可能な範囲を管底を中心とした２４０°にしたのは、通常、排水配管１８は、内部を流れる排水が満水状態にならないように設計されるため、排水横引き管２６，２８の内部の汚れはその底面部に集中し、その内面上部はほぼ汚れることが無いからである。ただし、この洗浄可能な範囲は、排水配管１８の管径、管長および配管構造や洗浄水の圧力などに応じて適宜変更可能である。
【００２９】
このように、洗浄ノズル１２および供給管１４を排水配管１８に予め接続することによって、洗浄作業時に洗浄ノズル付ホースなどを排水配管１８内に挿入したり、巻き取ったりする必要が無くなるため、洗浄作業にかかる時間や手間を大幅に削減できる。また、排水配管１８内の汚れ易い箇所に洗浄液が噴射されるように、洗浄ノズル１２を排水配管１８に接続するので、洗浄不足は生じ難く、信頼性の高い洗浄作業を行うことができる。
【００３０】
また、供給管１４を居住区域外まで配管し、供給部１６を居住区域外に設けることによって、居住区域外からの洗浄作業が可能となり、洗浄作業に住人の立会いが不要となるため、住人の負担が減少し、プライバシーも保護される。
【００３１】
さらに、高圧洗浄ができるため、排水配管１８内にゴミや汚れが堆積してしまった場合にも、確実にそれらを洗い流すことができる。
【００３２】
また、洗浄ノズル１２および供給管１４を排水配管１８内に設けるというシンプルな設備によって洗浄作業が可能であるので、特別な維持管理は不要である。
【００３３】
また、高圧洗浄車３８が備えるタンクに貯留した洗浄水を利用し、水道管と供給管１４とを直接接続しないので、水道管に排水が逆流することが無く、排水によって水道水が汚染されることが無い。さらに、タンクに貯留した洗浄水に防汚効果や殺菌効果のある薬液を添加することで、より効果的に洗浄作業を行うこともできる。
【００３４】
なお、複数の洗浄ノズル１２を排水配管１８に接続する場合、複数の供給管１４が配管されるが、この場合には、洗浄ノズル１２毎に供給管１４を枝状に分岐する先分岐配管、或いはヘッダ配管などを用いて複数の供給管１４の端部を１つにまとめてよい。これによって、１つの供給部１６に対して洗浄水を供給するだけで、１度に複数の洗浄ノズル１２から洗浄水を噴射することができる。ただし、複数の洗浄ノズル１２から同時に洗浄水を噴射する場合、排水配管１８内が満水状態になる恐れがあるが、この恐れがある場合には、たとえば排水配管１８の最上流部に吸気弁（図示せず）を設けることもできる。これによって、洗浄作業による排水配管１８内での満水状態の発生を防ぐことができる。また、複数の洗浄ノズル１２から同時に洗浄水を噴射する代わりに、たとえば、排水配管１８の下流側に接続した洗浄ノズル１２から順番に洗浄水を噴射していくようにして、排水配管１８内を洗浄してもよい。
【００３５】
また、上述の実施例では、キャップ型ノズル継手３４やソケット型ノズル継手３６を用いて洗浄ノズル１２を排水配管１８に接続したが、ノズル継手の形状は、これらに限定されない。たとえば、合流継手（たとえば、Ｔ継手やＹ継手）の胴体部の上部に洗浄ノズル１２を設ける合流継手型のノズル継手を用いてもよいし、エルボの胴体部に洗浄ノズル１２を設けるエルボ型のノズル継手を用いてもよい。ただし、これらのノズル継手を用いても、洗浄ノズル１２は、その噴射口３２を排水の下流方向に向けて排水配管１８に接続される。
【００３６】
また、上述の実施例では、排水横引き管２６，２８の上流側端部には、キャップ型ノズル継手３４を用いて洗浄ノズル１２を接続したが、これに限定されず、ソケット型ノズル継手３６や合流継手型のノズル継手などを用いて排水横引き管２６，２８の上流側端部に洗浄ノズル１２を接続することもできる。この場合には、図７に示すように、たとえば蓋部材４６を用いてソケット型ノズル継手３６の一方端を水密的に封止するとよい。蓋部材４６は、たとえば、合成樹脂などによって形成され、一方端に斜面を有する略斜切円柱形に形成される。蓋部材４６を略斜切円柱形に形成することによって、ソケット型ノズル継手３６の内面側底部の隅に溜まるゴミや汚れを防止することができる。また、キャップ型ノズル継手３４の代わりにソケット型ノズル継手３６を用いることによって、洗浄ノズル１２を排水横引き管２６，２８の管頂部に設けることができるため、洗浄ノズル１２が排水配管１８を流れる排水に浸かり難くなる。
【００３７】
また、上述の実施例では、合流継手２４ａ，２４ｂの上流側端部や排水横枝管２６の中央部に洗浄ノズル１２を接続したが、洗浄ノズル１２の接続位置は、排水配管１８の配管構造や１つの洗浄ノズルによる洗浄可能な範囲などに応じて、適宜設定される。たとえば、排水横引き管２６，２８に５ｍ以上の直線部がある場合には、３ｍごとに洗浄ノズル１２を接続してもよい。また、たとえば、上述の排水横引き管２６，２８の上流側端部および中継部のそれぞれに洗浄ノズル１２を接続することもできるし、上流側端部から中継部までの距離が短い場合には、上流側端部にだけ洗浄ノズル１２を接続し、中継部には洗浄ノズル１２を接続しないこともできる。なお、洗浄ノズル１２を排水横引き管２６，２８に接続するだけでなく、排水立て管３０や排水トラップ２２にも接続して、それらの内部を洗浄することもできる。
【００３８】
また、上述の実施例では、高圧洗浄車３８を用いて洗浄水を供給したが、これに限定されず、たとえば携帯用の高圧洗浄機を用いることもできる。また、水道管と接続された給水立て管を予め配管しておき、この給水立て管と供給管１４とをバルブを介して接続して、バルブ操作によって洗浄水、すなわち水道水を供給管１４に対して供給するようにしてもよい。また、雨水などを貯留する貯留タンクおよびポンプを居住区域外に設けておき、貯留した雨水などを洗浄水として利用することもできる。
【００３９】
また、上述の実施例では、高圧洗浄のみを行ったが、高圧洗浄の代わりに、或いは高圧洗浄と組み合わせて、たとえば０．１−０．３ＭＰａの給水圧によって排水配管１８内を洗浄することもできる。０．１−０．３ＭＰａの給水圧による洗浄作業は、たとえば、１日に１回行うとよい。これによって、排水配管１８内に汚れが付着する前に定期的に排水配管１８内を清掃することができ、排水配管１８内の汚れの付着やゴミの残留を予防することができるので、高圧での洗浄作業の頻度を減少させる、或いは高圧での洗浄作業を無くすことができる。
【００４０】
また、上述の実施例では、洗浄水を洗浄ノズル１２から噴射したが、圧縮空気を噴射してもよい。たとえば、コンプレッサによって圧縮空気を生成し、この圧縮空気を洗浄ノズル１２から噴射することによって排水配管１８内の残留物を押し流し、排水配管１８内を洗浄することもできる。
【００４１】
また、上述の実施例では、台所流し台２０からの排水を流す排水配管１８に配管洗浄システム１０を適用したが、これに限定されず、トイレ、風呂、洗濯機および洗面所などの排水設備からの排水を流す排水配管１８にも配管洗浄システム１０を適用でき、さらに複数の排水設備からの排水を流す排水配管１８にも配管洗浄システム１０を適用できる。
【図面の簡単な説明】
【００４２】
【図１】この発明の一実施例の配管洗浄システムおよび給水源である高圧洗浄車を示す概念図である。
【図２】図１に示す配管洗浄システムをマンションの台所流し台からの排水を流す排水配管に適用した一適用例を示す平面図である。
【図３】図１に示す配管洗浄システムの一部を示す横断面図である。
【図４】図１に示す配管洗浄システムの一部を示す側面図である。
【図５】図１に示す配管洗浄システムの一部を示す平面図である。
【図６】図１に示す配管洗浄システムの供給部と吐出口とを接続した状態を示す横断面図である。
【図７】ソケット型ノズル継手を排水横引き管の端部に用いた一例を示す横断面図である。
【符号の説明】
【００４３】
１０  …配管洗浄システム
１２  …洗浄ノズル
１４  …供給管
１６  …供給部
１８  …排水配管
２０  …台所流し台
２４ａ，２４ｂ，２４ｃ  …合流継手
２６  …排水横枝管
２８  …排水横主管
３０  …排水立て管
３４  …キャップ型ノズル継手
３６  …ソケット型ノズル継手
４０  …給水管
【図１】
2008025246.tif 000003
【図２】
2008025246.tif 000004
【図３】
2008025246.tif 000005
【図４】
2008025246.tif 000006
【図５】
2008025246.tif 000007
【図６】
2008025246.tif 000008
【図７】
2008025246.tif 000009